(57)【要約】【課題】整流子５側の動バランスを容易に修正できる電機子を提供する。【解決手段】電機子のバランス修正は、所定の整流子片７の一部を除去して行われる。つまり、モールド樹脂６より外側に露出している整流子片７の軸方向端部をカッター１０により軸方向から削り取って除去部を形成し、予め測定されたバランス量だけ整流子片７の質量を減らすことで、動バランスを修正する。このバランス修正方法では、整流子５側のアンバランスの発生要因となる整流子片７の一部を除去して行うので、動バランスの修正が容易である。また、比重が大きい金属材料（例えば銅）によって形成される整流子片７の一部を除去するため、少ない除去量でバランス修正が可能である。更に、ブラシが接触する範囲から外れた整流子片７の軸方向端部を除去するので、整流性能に影響を与えることなく、動バランスの修正が可能である。【選択図】図１
2007043836.tif 000002
【特許請求の範囲】
【請求項１】
電機子軸の一端側に整流子を有する整流子型回転電機の電機子において、
前記整流子は、前記電機子軸の周囲にモールド樹脂によって支持された複数の整流子片を周方向等間隔に配置して構成され、且つ前記電機子の動バランスを修正するために、前記モールド樹脂より外側に露出している前記整流子片の一部が除去されていることを特徴とする整流子型回転電機の電機子。
【請求項２】
請求項１に記載した整流子型回転電機の電機子において、
前記整流子片の軸方向端部の少なくとも一部が除去されていることを特徴とする整流子型回転電機の電機子。
【請求項３】
請求項１に記載した整流子型回転電機の電機子において、
前記整流子片は、電機子コイルが接続されるライザー部を有し、このライザー部の外径端部の少なくとも一部が除去されていることを特徴とする整流子型回転電機の電機子。
【発明の詳細な説明】
【技術分野】
【０００１】
本発明は、電機子軸の一端側に整流子を有する整流子型回転電機の電機子に関する。
【背景技術】
【０００２】
従来、電機子のバランス修正に関する公知技術として、例えば、特許文献１が知られている。この特許文献１には、電機子鉄心の歯部外周にキリ等で適正分量の切削を施してバランスを調整する方法が開示されている。                                    
【特許文献１】特開昭５４−１１９６０１号公報
【発明の開示】
【発明が解決しようとする課題】
【０００３】
電機子に生じるアンバランスの要因としては、電機子軸の偏心や電機子巻線の偏在などによる重量の偏りと共に、整流子自体のアンバランスが大きく影響している。特に、整流子のアンバランスは、整流子が電機子軸の端部に配設されるため、電機子縦断面の重心位置に対して偏った位置のアンバランスを表す動バランスの悪化として表れる。
しかし、上記の特許文献１に開示された公知技術、つまり、電機子鉄心の歯部外周を削ってバランスを調整する方法では、整流子側における動バランスの修正が困難である。これは、電機子鉄心が電機子軸の中央部に配設されているため、電機子の重心に近い電機子鉄心の一部を除去しても、電機子の重心から遠い整流子側の動バランスを修正できる効果が小さいためである。
本発明は、上記事情に基づいて成されたもので、その目的は、整流子側の動バランスを容易に修正できる整流子型回転電機の電機子を提供することにある。
【課題を解決するための手段】
【０００４】
（請求項１の発明）
電機子軸の一端側に整流子を有する整流子型回転電機の電機子において、整流子は、電機子軸の周囲にモールド樹脂によって支持された複数の整流子片を周方向等間隔に配置して構成され、且つ電機子の動バランスを修正するために、モールド樹脂より外側に露出している整流子片の一部が除去されていることを特徴とする。
整流子側のアンバランスの発生要因となる整流子片の一部を除去してバランス修正を行うので、整流子側の動バランスの修正が容易である。また、比重が大きい金属材料（例えば銅）によって形成される整流子片の一部を除去するため、少ない除去量でバランス修正が可能である。
【０００５】
（請求項２の発明）
請求項１に記載した整流子型回転電機の電機子において、整流子片の軸方向端部の少なくとも一部が除去されていることを特徴とする。
この場合、整流子の外周に配置されるブラシが接触する範囲から外れた整流子片の軸方向端部を除去するので、整流性能に影響を与えることなく、動バランスの修正が可能である。
【０００６】
（請求項３の発明）
請求項１に記載した整流子型回転電機の電機子において、整流子片は、電機子コイルが接続されるライザー部を有し、このライザー部の外径端部の少なくとも一部が除去されていることを特徴とする。
整流子片より径方向外側に設けられるライザー部の外径端部を除去するので、少ない切削量で動バランスの修正が可能である。
【発明を実施するための最良の形態】
【０００７】
本発明を実施するための最良の形態を以下の実施例により詳細に説明する。
【実施例１】
【０００８】
図１は動バランスの修正方法を示す整流子の半断面図であり、図２は電機子１の半断面図である。
実施例１に係る回転電機は、例えば、エンジンを始動するためのスタータモータであって、図示しない界磁（永久磁石または界磁コイル）の内側に回転自在に支持される電機子１（図２参照）を有し、界磁と電機子１との間に作用する電磁力によって電機子１に回転力を発生する周知の直流電動機である。
電機子１は、図２に示す様に、電機子軸２と、この電機子軸２の外周に圧入状態でセレーション嵌合する電機子鉄心３と、この電機子鉄心３に巻線される電機子コイル４と、電機子軸２の一端側（図２の右側）に設けられた整流子５とで構成される。
【０００９】
整流子５は、電機子軸２の周囲にモールド樹脂６によって支持された複数の整流子片７を周方向等間隔に円筒状に配置して構成される。整流子５の外周には、複数のカーボンブラシ８（図２参照）が配置され、ブラシスプリング（図示せず）によって整流子５に押圧されている。
整流子片７は、例えば、良導体である銅によって形成され、周方向に隣合う他の整流子片７との間がモールド樹脂６によって絶縁されている。この整流子片７には、鉄心側の端部に径方向外側へ立ち上がるライザー部９が一体に設けられ、このライザー部９に電機子コイル４が接続されている。
【００１０】
次に、電機子１の整流子５側の動バランスを修正する方法について説明する。
動バランスの修正は、所定の整流子片７の一部を除去して行われる（図３参照）。具体的には、図１に示す様に、モールド樹脂６より外側に露出している整流子片７の軸方向端部（反ライザー部側の端部）をカッター１０により軸方向から削り取って除去部１１を形成し、予め測定されたバランス量だけ整流子片７の質量を減らすことで、動バランスを修正する。なお、カッター１０によって削り取られる除去部１１は、ブラシ８が接触する範囲外に形成される。つまり、整流子片７にブラシ８が接触する範囲内に除去部１１が入り込むことはない。
【００１１】
（実施例１の効果）
上記のバランス修正方法では、整流子５側のアンバランスの発生要因となる整流子片７の一部を除去して行うので、電機子鉄心３の一部を除去する公知のバランス修正方法と比較した場合に、整流子５側の動バランスの修正が容易である。また、比重が大きい金属材料（例えば銅）によって形成される整流子片７の一部を除去するため、少ない除去量でバランス修正が可能である。
更に、ブラシ８が接触する範囲から外れた整流子片７の軸方向端部を除去するので、整流性能に影響を与えることなく、動バランスの修正が可能である。
【実施例２】
【００１２】
図４は整流子片７のライザー部９を示す軸方向正面図である。
この実施例２では、整流子片７と一体に設けられたライザー部９の一部を除去する一例である。具体的には、図４に示す様に、ライザー部９の外径端部の一部を除去する。この時、ライザー部９に接続されている電機子コイル４を傷付けることなく、ライザー部９のみを除去することは言うまでもない。
この場合、整流子片７より径方向外側に設けられるライザー部９の外径端部を除去するので、少ない切削量で動バランスの修正が可能である。
【図面の簡単な説明】
【００１３】
【図１】動バランスの修正方法を示す整流子の半断面図である（実施例１）。
【図２】電機子の半断面図である。
【図３】電機子を整流子側から見た軸方向正面図である（実施例１）。
【図４】整流子片のライザー部に除去部を設けた一例を示す軸方向正面図である（実施例２）。
【符号の説明】
【００１４】
１  電機子
２  電機子軸
４  電機子コイル
５  整流子
６  モールド樹脂
７  整流子片
９  ライザー部
【図１】
2007043836.tif 000003
【図２】
2007043836.tif 000004
【図３】
2007043836.tif 000005
【図４】
2007043836.tif 000006